(57)【要約】【課題】            ケーシングとフィルタユニットとの装着等において、作業性を考慮した適切な取付強度、装着若しくは取り外しが容易であり、確実な装着が作業者に判別し得る、節度感ある装着構造の実現。  【解決手段】        対向する２対の側板内側面側に画成された矩形の開口を有するケーシング内に、矩形枠材及び濾材で構成したフィルタユニットを装着方向に沿って嵌入装着させるフィルタユニットの装着構造において、  前記ケーシングに、前記側板内側面から延出し、かつ先端が装着方向下流側に向く折返し部を有する断面「ム」字型の帯状係合部材を設け、  前記ユニットに、前記矩形枠材の外側面と直交方向に延出し、かつ該枠材の外側面との間で前記帯状係合部材を迎え入れる受容部を画成すると共に、先端に節度感顎部を有する断面「ム」字型の帯状支持部材を設け、前記ケーシングの開口に前記ユニットを進入させ、前記帯状係合部材及び前記帯状支持部材が係合する。【選択図】          図６
2016068071.tif 000002
【特許請求の範囲】
【請求項１】
対向する２対の側板の内側面側に画成された矩形の開口を有するケーシング内に、矩形枠材と濾材とで構成した濾過面を有するフィルタユニットを装着方向に沿って嵌入装着せしめるフィルタユニットの装着構造において、
前記ケーシングには、前記側板の内側面から延出し、かつ先端が装着方向下流側に向く折返し部を有する断面「ム」字型の帯状係合部材を設け、
前記フィルタユニットには、前記矩形枠材の外側面と直交方向に延出し、かつ該枠材の外側面との間で前記帯状係合部材を迎え入れるための受容部を画成すると共に、先端に節度感顎部を有する断面「ム」字型の帯状支持部材を設け、
前記ケーシングの開口に前記フィルタユニットを進入させて、前記帯状係合部材と前記帯状支持部材とが係合する
ことを特徴とするフィルタユニットの装着構造。
【請求項２】
前記フィルタユニットが、前記帯状支持部材の受容部を含む前記矩形枠材の全周に、パッキンを備えてなることを特徴とする請求項１に記載のフィルタユニットの装着構造。
【発明の詳細な説明】
【技術分野】
【０００１】
本発明は、大気中の塵埃を濾過するための空調装置に関する技術であり、特に空調装置に備え付けられたケーシングに脱着可能なフィルタユニットを容易に装着または取り外すことが可能な装着構造に関する。
【背景技術】
【０００２】
従来から、空調装置は様々な環境で設置使用されており、塵埃を捕集した濾材は、当該装置に装着可能な形状に設計されたフィルタユニットとして着脱交換することが広く行われている。本出願人にあっても、種々の技術を提案しており、例えば特許第３８３１８５５号公報（特許文献１）において、フィルタ枠への取り付け、取り外しに際して作業が容易であり、かつ確実にエアーリークを防止できる「耳付フィルタ、フィルタ枠及び耳付フィルタのフィルタ枠への取付構造」を開示している。尚、以下の説明の理解を容易とするため、特許文献１に言う「耳付フィルタ」のように濾材にプリーツ加工等を施した構成成分を単にフィルタユニットと称し、「フィルタ枠」のように、フィルタユニットを直接に装着する構成成分を単にケーシングと称する。
【０００３】
図１は、特許文献１に開示されたフィルタユニットをケーシング内に取り付け、ケーシングの一部を切り欠くと共に、当該ユニットの取付状態を装置の上面側から示す平面図である。当該技術では、プリーツ加工した濾材をＷ型に曲折構成したフィルタユニット１１を開示している。このフィルタユニット１１には、曲折する部分の各々の面に、図示を省略する補強体が蝶番として機能するように作製されており、輸送時等には小さく折り畳んで取り扱う構成となっている。また、当該ユニット１１の両端部には、樹脂を含浸した不織布或いはプラスチック板など、使用時の風圧や取り扱い時に加わる外力によって形状が崩れない程度の剛性を有する素材からなる断面Ｌ字型の耳部１３が設けられる。この耳部１３はフィルタユニット１１をケーシング１５に装着する際、図１に矢印Ａで示す濾過方向で着脱可能な装着構造となる構成成分であるため、同図中、一点鎖線で囲んだ要部を別図に示し、詳述する。
【０００４】
図２は、図１のフィルタユニットをケーシングに装着した要部を拡大して示す説明図である。上記特許文献１の技術では、フィルタユニット１１の両端に設けられた耳部１３の先端が濾過方向Ａの下流側に向くように形成される。これに対し、濾過方向Ａの上流側に相当するケーシング１５の左右（前出図１の紙面上下）内側面にスリット状の溝よりなる凹部１７が濾過方向Ａの上流側に向かって設けられる。従って、フィルタユニット１１の装着に際しては、当該方向Ａの上流側から下流側に当該ユニット１１を進入させ、凹部１７内に耳部１３の先端が差し込まれる。尚、この技術の態様で、上述した濾過方向Ａと装着方向（Ｆの符号を付す）とは同一の方向である。また、同公報には他の装着構造も開示されている。
【０００５】
図３は、図２と同様に他の装着構造を示す説明図である。この開示構造では、フィルタユニット１１の耳部の先端は、濾過方向Ａの上流側に向いたフック部１３ａとして設けられ、このフック部１３ａを受け入れるケーシング１５側の凹部１７ａは濾過方向Ａの下流側に向かって設けられている。また、本願の説明の理解を容易とするため、凹部１７ａを形成するケーシング１５の内壁面から延出する構成成分を掛着部１９と称するが、図３の開示構造では、当該掛着部１９の先端をケーシング１５の内壁面側に屈曲させ、断面Ｖ字状あるいはＵ字状の掛着部１９に、ユニットフィルタ１１側のフック部１３ａを係合するよう構成されている。
【０００６】
この特許文献１の技術では、フィルタユニット１１をＷ字状に形成しておき、その補強体の蝶番としての機能を利用し、ユニット装着時に幅方向の寸法を小さくしてケーシング１５内に濾過方向Ａと一致する装着方向Ｆに沿って進入させた後、幅方向に展開し、耳部１３やフック部１３ａを、各々、凹部１７若しくは１７ａに差し込み、または掛着部１９に係合することによって装着される。この技術では、フィルタユニットの交換時にケーシングと係合されるのは耳部を設けた当該ユニットの展開方向の両端に相当する２辺であり、他の態様として、耳部を図示していないプレフィルタとケーシングで挟み込む、或いは、ケーシングの濾過方向Ａの下流側でフィルタユニットに設けた補強体（土手部）を当接する等の記載がある。
【先行技術文献】
【特許文献】
【０００７】
【特許文献１】特許第３８３１８５５号公報（［特許請求の範囲］、［００３１］〜［００３４］、［００３９］〜［００４３］、［図３］、［図５］など）
【発明の概要】
【発明が解決しようとする課題】
【０００８】
上述した背景技術では、フィルタユニットを構成する枠材と、ケーシング側に設けた構成成分との間で係合する態様で気密に装着するに当たり、種々の工夫がなされている。例示した特許文献１では、矩形を有するケーシングの対向する一対の辺に係合する構成成分が設けられており、図２に例示した態様ではフィルタユニットの装着に当たり、装着方向Ｆに沿って耳部１３を凹部１７に差し込むという、節度感に欠けた方法を採用している。しかも、フィルタユニット１１自体が折り畳む構成となっているため、耳部１３が取り付けられた２つの辺のみでは取付強度が必ずしも十分とはいえず、対向する他の２つの辺では、当該ユニットを押さえる構成成分を別途用意するなどの追加手段を要する場合が有った。
【０００９】
また、特許文献１に開示される図３の態様では、ケーシングで画成される開口を通して、各々のフィルタユニットを装着方向Ｆに沿って進入させた後、幅方向に展開させたフィルタユニット１１の装着方向Ｆの下流側に設けられたフック部１３ａとケーシングに設けられた掛着部１９とを係合させる。この態様の場合であっても、装着方向Ｆの下流から上流に向かって係合する態様であるため、やはり装着時の節度感に欠け、取付強度向上を図る上では、前述と同様に係合に関与しない「２つの辺」で追加手段を要する場合がある。
【００１０】
このように、上述した背景技術では、ケーシングとフィルタユニットとの装着若しくは取り外しにおいて、作業性を考慮した適切な取付強度と、装着完了を確認可能な節度感が実現されていないという問題点が有った。本発明は、上述した従来の問題点に鑑み、なされたものであり、装着若しくは取り外しが容易であって、確実に装着されたことが音又は感触によって作業者に判別し得る程度の節度感があり、しかも取付強度の向上を図り得る装着構造を実現することを目的とする。
【課題を解決するための手段】
【００１１】
この目的の達成を図るため、本発明の構成によれば、対向する２対の側板の内側面側に画成された矩形の開口を有するケーシング内に、矩形枠材と濾材とで構成した濾過面を有するフィルタユニットを嵌入装着せしめるフィルタユニットの装着構造において、
前述したケーシングには、その側板の内側面から延出し、かつ先端が装着方向下流側に向く折返し部を有する断面「ム」字型の帯状係合部材を設け、
前述したフィルタユニットには、前述の矩形枠材の外側面と直交方向に延出し、かつ、この枠材の外側面との間で前述の帯状係合部材を迎え入れるための受容部を画成すると共に、先端に節度感顎部を有する断面「ム」字型の帯状支持部材を設け、
前述したケーシングの開口に上述のフィルタユニットを進入させて、前記帯状係合部材と前記帯状支持部材とが各々の先端部分で係合する
ことを特徴としている。
尚、ここに言う「係合」とは、ケーシングの開口にフィルタユニットを嵌入装着せしめた後、当該ユニットの取り外しを図らない限り、これら構成成分同士の装着状態が維持される状態を言う。また、本願明細書における「節度感顎部」の「節度感」とは、フィルタユニット側の上記帯状支持部材先端に設けた節度感顎部と、ケーシング側の帯状係合部材との係合による装着若しくは取り外しに際して、音又は感触が作業者に感覚として伝わり得る状態を言う。
さらに、本発明の実施に当たり、上述したフィルタユニットが、前述した帯状支持部材の受容部を含む前述した矩形枠材の全周に、パッキンを備えてなる態様とするのが好適である。
【発明の効果】
【００１２】
本発明の構成を適用することにより、ケーシングとフィルタユニットとの装着動作が容易であり、しかも、節度感のある装着安定性若しくは妥当性を実現することができる。
【図面の簡単な説明】
【００１３】
【図１】背景技術を説明するため、従来の空調装置を一部透視的に示す平面図である。
【図２】背景技術の好適形態を説明するため、図１の要部を拡大して示す説明図である。
【図３】背景技術の他の形態を説明するため、図２と同様に図１の要部を拡大して示す説明図である。
【図４】本発明の好適な形態を説明するため、フィルタ装置の概要を説明図である。
【図５】図４における要部を拡大して示す説明図である。
【図６】図４におけるＩ―Ｉの部分断面により示す説明図である。
【図７】本発明に係る他の好適な形態を説明するため、図６と同様な部分断面により示す説明図である。
【図８】本発明に係る他の実施形態を説明するため、図４と同様に斜視的に示す説明図である。
【図９】図８におけるＩＩの要部断面を図７と同様に示す説明図である。
【発明を実施するための形態】
【００１４】
以下、図面を参照して、本発明の好適形態につき説明する。尚、以下の説明では、この発明の理解を容易とするため、特定の形状、配置関係などを例示して説明するが、本発明はこれら図示例にのみ限定されるものではなく、本発明の目的の範囲内で任意好適に設計することができる。
【００１５】
まず、図４は、好適形態例のフィルタユニットとケーシングとを嵌入装着せしめる状態を斜視的に示す図である。この図４に示すように、この形態の装置では、対向する２対の側板２１ａ〜２１ｄにより、ケーシング２１が構成される。これら各側板は４枚の鋼板を組み合わせて矩形の開口２３を画成している。この各々の側板には、図示装着方向Ｆの上流側に相当する端部に、断面「ム」字型の帯状係合部材２５ａ〜２５ｄが板金加工によって設けられ、この形態例では、これら側板を組み合わせた状態で、ケーシング２１の内側面側に、帯状係合部材２５ａ〜２５ｄがフランジ状に連続して延出し、しかも、その先端が装着方向Ｆの下流側に向く折返し部２７ａ〜２７ｄ（後段で詳述）を設け、側板の内側面で画成される領域に比較して一回り小さな開口２３を装着方向Ｆの上流側に画成する構成とすることによって、ケーシング２１自体の筐体としての強度を保つ設計としている。
【００１６】
また、当該例のフィルタユニット２９は、プリーツ加工された不織布等の濾過機能を有する素材からなる濾材（図示せず）と、フィルタユニットに保形性を持たせるため、不織布や種々の合成樹脂製の板材からなる矩形枠材３１とで構成され、装着方向Ｆに沿って開口２３に嵌入装着される。このフィルタユニット２９には、装着方向Ｆに相当する濾過方向Ａの上流側端部であって、かつ矩形枠材３１の各辺各々に、断面「ム」字型であって、例えばＡＢＳ樹脂などの可撓性を有する材料からなる帯状支持部材３３ａ〜３３ｄが設けられる。この帯状支持部材３３ａ〜３３ｄの先端には後述する節度感顎部が設けられ、その断面形状に規制された空間によって、矩形枠材３１の外側面との間に後述する受容部が画成される。また、各々の帯状支持部材同士は、フィルタユニット２９の矩形頂点近傍に不連続な部分を以て取り付けられる。各帯状支持部材３３ａ〜３３ｄが各々別構成成分であるため、ケーシング２１にフィルタユニット２９を嵌入装着する際、嵌入装着時の抗力が互いに伝わりにくい構成となっている。
【００１７】
図５は、このフィルタユニット２９の矩形頂点部分に着目して図４の要部のみを拡大した説明図である。このフィルタユニットの好適形態として、後段に述べる受容部を含む矩形枠材３１の全周に、例えば発泡ネオプレンゴム等のテープ状の周知のパッキン３５を設けており、図示の帯状支持部材３３ａ並びに３３ｂが接する矩形頂点部分にはパッキン３５が露出する構成を採っている。
【００１８】
続いて、図６として、前述した図４に一点鎖線Ｉ−Ｉを付す部分の模式的な断面により、ケーシング２１とフィルタユニット２９とが嵌入装着された装着構造を示す。尚、同図では前述した図２等と同様に、一部構成成分のハッチングを省略する。前述のとおり、側板２１ａには装着方向Ｆの上流側端部に、その内側面から延出する断面「ム」字型の帯状係合部材２５ａを一体的に形成している。即ち、この帯状係合部材２５ａは、側板２１ａの内側面から装着状態にあるフィルタユニット２９に向かって延出させた後に屈曲を設け、フィルタユニット２９の帯状支持部材３３ａの側面と実質的に接触するように所定の距離に渡って装着方向Ｆの上流側に延在させ、さらに装着方向Ｆの下流側であって、しかもフィルタユニット２９とは離間する方向に屈曲する折返し部２７ａを設けて断面「ム」字型に形成されている。
【００１９】
また、図６のフィルタユニット２９は、帯状支持部材３３ａが矩形枠材３１の外側面に取り付けられ、装着方向Ｆの下流側端部で直交方向（前述した開口２３の外方）に向かって延出させる。この後、装着方向Ｆ並びに濾過方向Ａの下流側に折曲げられ、さらに、矩形枠材３１側に屈曲した節度感顎部３７ａを先端に設けて、断面「ム」字型を呈する形状となっている。同図から理解できるように、当該帯状支持部材３３ａは矩形枠材３１との取付部分を除く概形として断面「ム」字型の形状となっており、この「ム」字型で画成された受容部３９によって、ケーシング２１側の帯状係合部材２５ａを迎え入れる構造であって、しかも、この迎え入れられた帯状係合部材２５ａの先端である折返し部２７ａと、フィルタユニット２９側の先端である節度感顎部３７ａとが互いに係合する。この装着時の係合は、帯状支持部材３３ａが可撓性を有する素材で構成される場合、当該部材の先端である節度感顎部３７ａが、例えば鋼板で構成された装着方向Ｆの下流側に向かう折返し部２７ａの外側面に沿って、変形しながら進入し、折返し部２７ａを超えた位置で節度感顎部３７ａの変形が解消され、係る変形解消時に振動や音として作業者に伝わり、開口を画成するケーシングの各辺で節度感のある係合が得られる。このような嵌入装着時の係合は、フィルタユニット２９の矩形枠材３１に取り付けられた４辺の帯状支持部材３３ａ〜３３ｄの各係合部分に、実質的に同時に生じさせることができる。
【００２０】
この図示例では、受容部３９内にパッキン３５を設けていることから、受容部３９の進入方向Ｆに沿った距離とパッキン３５の厚さ並びに弾性を任意好適に設計し、予め受容部３９並びに図５を参照して説明した、各帯状支持部材同士が不連続な矩形頂点部分を含む全周に設けたパッキン３５の弾性によって、各節度感顎部と折返し部とが係合された状態を維持する構成となっている。当該パッキン３５の弾性及び厚さは装着されている間にフィルタユニット２９の濾過方向Ａに沿った上流と下流との間を気密に維持する程度であって、節度感顎部３７ａと折返し部２７ａとの係合を阻害しない程度とするのが好ましい。
【００２１】
また、フィルタユニット２９の取り外しは、図６に示す節度感顎部３７ａ並びに各節度感顎部３７ｂ〜３７ｄの各々を、対向する２対の辺々で当該ユニット２９の外側方向に変形させて係合を解除し、装着方向Ｆの下流側に引き出すことで達成し得る。この取り外し動作は、図５を参照して説明した矩形頂点部分を係合解除の始点とすることができる。さらに簡便な取り外し作業を実現するため、図６に示す側板２１ａのうち、一体的に構成した帯状係合部材２５ａを除くケーシングの主側面と、フィルタユニットの帯状支持部材３３ａとが、装着方向Ｆの直交方向でなす距離ｗは、例えば作業者の指が入る程度の作業スペースを以て構成するのが好ましい。加えて、この好適形態例ではケーシング単体に着目して説明しているが、本願発明で言うケーシングを複数連結する「チャンバー」を備えた空調装置が知られている。この場合、本願発明に係るケーシングの側板にネジ止めするための連結穴、或いは、他の構成成分を設けることもでき、ケーシング同士が連結されている部分では、前述した距離ｗの２倍に相当する作業スペースを確保し得る。
【００２２】
次いで、他の図面を参照して、本発明を適用した他の好適例について説明する。図７は図６と同様に示す要部断面を拡大した説明図であり、同一の機能を有する構成成分には同一の符号を付すと共に、ハッチングの一部を省略している。
【００２３】
この好適例では、ケーシング４１を構成する側板４１ａと、その内側面から延出する帯状係合部材４３ａとを別の構成成分として設計した場合を例示している。側板４１ａと帯状係合部材４３ａとが双方とも鋼板である場合には、溶接によって面接合されるが、当該例の場合も、帯状係合部材４３ａは、側板４１の内側面から装着状態のフィルタユニット４５に向かって延出後に屈曲を設け、当該ユニット４５の帯状支持部材４９ａの側面と接触保持されるように装着方向Ｆの上流側に延在させ、さらに装着方向Ｆの下流側、かつ当該ユニット４５の離間方向に屈曲する折返し部４７ａを設けて断面「ム」字型に形成されている。
【００２４】
また、図７のフィルタユニット４５は、帯状支持部材４９ａが矩形枠材３１の外側面に取り付けられ、装着方向Ｆの下流側端部で直交方向を向いて延出せしめられた後、装着方向Ｆの下流側への折曲げまでは前出の断面形状と同一である。しかしながら、当該例では、矩形枠材３１側に屈曲した節度感顎部５１ａと、側板４１ａ側に屈曲した舌片部５３ａを先端に設けた形状となっている。図７の形態例でも、矩形枠材３１との取付部分を除く概形が断面「ム」字型の形状であり、受容部３９に上述の帯状係合部材４３ａの折返し部４７ａを迎え入れる構造とし、帯状係合部材４３ａ先端に設けた折返し部４７ａと、フィルタユニット４５側の一方の先端である節度感顎部５１ａとが互いに係合し、節度感顎部５１ａとは他方の先端である舌片部５３ａがケーシング側の側板４１ａの内側面に向いた状態で装着される。
【００２５】
この好適例の場合も、前述と同様に帯状支持部材４９ａが可撓性を有する素材とするのが好ましく、フィルタユニット４５の嵌入装着も、節度感顎部５１ａが折返し部４７ａに沿って変形進入し、折返し部４７ａを超えた位置で変形が解消され、前述した図４並びに図５と同様に、ケーシング４１の対向する２対の側板間で各々装着が完了する。しかしながら、この例では、節度感顎部４９ａと共に、帯状支持部材の先端を構成する舌片部５３ａを設けることによって、帯状支持部材４９ａの受容部３９を構成する外側面と側板４１ａの内側面とが面する距離ｗ’を、舌片部５３ａの延出分だけ大きく採る必要がある。このような舌片部５３ａは、フィルタユニット４５の取り外し時に、節度感顎部５１ａと折返し部４７ａの係合解除を容易とするため、節度感顎部５１ａに変形を生じさせる目的で設けるのが好ましい。
【００２６】
以上、本発明を適用した好適態様について例示により説明した。しかしながら、本発明は、これらにのみ限定されるものではない。主として図６並びに図７では、ケーシング側の帯状係合部材として剛性に富む鋼板を用い、フィルタユニット側の帯状支持部材として可撓性を有するＡＢＳ樹脂を例示した。本発明の作用効果として、ケーシングの開口にフィルタユニットを進入させた際、上記２つの構成成分の何れか一方、または、双方が可撓性により係合することによって、節度感が達成される。従って、フィルタ装置において、装着使用後に廃棄されるフィルタユニット側の帯状支持部材を上記合成樹脂からなる可撓性材料で構成するのが良い。この場合、帯状支持部材と矩形枠材とは一体的に構成することもできる。掛かる可撓性の程度は、鋼板の厚さ、または、素材自体に可塑性を有する種々の合成樹脂などを任意好適に選択することで節度感を達成することができる。
【００２７】
次いで、図７を参照して説明した本発明の好適形態の他例として、本発明のフィルタ装置の実施形態について説明する。従来から、複数のケーシングを接続し、１つのユニット装置として配設する技術が知られている。図８は、図７に示すフィルタ装置のうち、フィルタユニットを装着する前のケーシング４１のみを複数接続し、そのうちの１ケーシングにのみ着目して、図４と同様に斜視的に示す説明図である。また、図７と同一の機能を有する構成成分には、同一の符号を付している。また、説明の理解を容易とするため、図７においてフィルタユニット４５を構成する帯状支持部材４９ａと接触する、側板から延出形成された帯状係合部材の内側面にハッチングを付して示す。
【００２８】
この図８から理解できるように、この実施形態では、矩形のケーシング４１を構成する各側板４１ａ〜４１ｄの略中央部分であって、濾過方向Ａ（及び装着方向Ｆ）の上流側端面の一領域に切り込みを入れ、当該端縁の鋼板にアール加工を施し、接続部Ｊが４箇所に設けてある。この接続部Ｊは、ケーシングに筐体強度を持たせるため、濾過方向Ａの下流側端縁に設けたフランジにも同様に４箇所形成されている。箇々のフィルタ装置を設置する際、例えば図示した側板４１ａと４１ｄとの面同士を合わせ、この面接触で形成された一対の接続部Ｊ間に、ダクトの共板フランジ工法で周知のＬクリップ５５（例えば、株式会社深川製作所製の商品名「Ｌクリップ補強付」など）を掛け止めて接合する。尚、同図ではケーシング同士の接続に関与しない側板にも予め接続部を作りつけた態様を示すが、ケーシングを構成する側板のうち、実質的に垂直に隣り合う２辺にのみ当該部Ｊを作る態様でも良い。
【００２９】
このような接続形態に付き、図８に一点鎖線ＩＩで囲んだ接続部Ｊ部分に関し、図７と同様な拡大断面により示す図９を参照して説明する。当該図では図８に対応して、装着されるフィルタユニットの図示を省略し、同一の構成成分には同一符号を付してある。図７を参照して既に述べたとおり、本願発明では、ケーシングの内側面に帯状係合部材を設ける構成とすることで、濾過方向Ａの上流側端縁に相当するケーシング内側面に作業スペースとして利用し得る距離ｗ或いはｗ’が画成される。このスペースを利用して、ケーシングの端縁に接続部Ｊを設ける。ここで、ケーシングの濾過方向Ａの下流側端縁のフランジは、フィルタユニットの装着には直接的に関与しないため、前縁側と同様に設計上の余裕が存在する。このような接続部Ｊは図９に示すとおり、側板４１ｂ、及び４１ｄの端縁の一部分を各々アール加工して有り、Ｌクリップ５５を嵌め込むことによりケーシング同士を接続し得る。このアール加工に際しては、図９に加工前の側板前縁の配置関係を破線で示すように、濾過方向Ａの下流側に向かって丸めることで、Ｌクリップ５５の嵌め込の後であっても、当該クリップが前縁側に突出しないように設計することができる。
【符号の説明】
【００３０】
１１：フィルタユニット（耳付フィルタ）、
１３：耳部、１３ａ：フック部、
１５：ケーシング（フィルタ枠）、１７，１７ａ：凹部、１９：掛着部、
２１：ケーシング、２１ａ〜２１ｄ：側板、
２３：開口、
２５ａ〜２５ｄ：帯状係合部材、２７ａ〜２７ｄ：折返し部、
２９：フィルタユニット、
３１：矩形枠材、
３３ａ〜３３ｄ：帯状支持部材、
３５：パッキン、
３７ａ〜３７ｄ：節度感顎部、
３９：受容部、
４１：ケーシング、４１ａ〜４１ｄ：側板、
４３ａ：帯状係合部材、
４５：フィルタユニット、
４７ａ：折返し部、
４９ａ：帯状支持部材、
５１ａ：節度感顎部、５３ａ：舌片部、
５５：Ｌクリップ、
Ｆ：装着方向、Ａ：濾過方向、
ｗ，ｗ’：（側板の内側面と帯状支持部材の外側面との）距離、
Ｊ：接続部。
【図１】
2016068071.tif 000003
【図２】
2016068071.tif 000004
【図３】
2016068071.tif 000005
【図４】
2016068071.tif 000006
【図５】
2016068071.tif 000007
【図６】
2016068071.tif 000008
【図７】
2016068071.tif 000009
【図８】
2016068071.tif 000010
【図９】
2016068071.tif 000011